【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
光束を出射する光源と、
前記光源から出射された光束を偏向して、偏向した光束で像担持体を走査する光走査手段と、
前記光源と前記光走査手段との間の光路中に設けられ、前記光源から出射された光束を電圧印加により偏向する電気光学結晶構造体と、
前記電気光学結晶構造体により偏向された光束の光量を検知する、少なくとも１つの光量検知手段と、
前記光量検知手段の検知結果に基づいて、前記光源から出射される光束が所定の光量となる様に制御する光量制御手段とを備えることを特徴とする光走査装置。
【請求項２】
前記電気光学結晶構造体は、電圧印加により屈折率が変化する特性を有する電気光学結晶からなり、
前記光量検知手段は、前記電気光学結晶に電圧が印加された場合に光束の光量を検知することを特徴とする請求項１に記載の光走査装置。
【請求項３】
前記電気光学結晶構造体は、電圧印加により屈折率が変化する特性を有する電気光学結晶からなり、
前記電気光学結晶に印加される電圧を制御する電圧制御手段を更に備えることを特徴とする請求項１に記載の光走査装置。
【請求項４】
前記電圧制御手段は、前記電気光学結晶に取り付けられた一対の電極部を有し、
前記一対の電極部は、前記電気光学結晶の内部に、前記電気光学結晶を通過する光束の進路方向に対して垂直方向の電界を形成することを特徴とする請求項３に記載の光走査装置。
【請求項５】
前記電気光学結晶は、カリウム、タンタル、ニオブおよび酸素から成ることを特徴とする請求項３に記載の光走査装置。
【請求項６】
前記光源は、面発光型レーザダイオードであることを特徴とする請求項１に記載の光走査装置。
【請求項７】
前記光源から出射された光束を略平行光束へと変換する第１のレンズ部材と、
前記第１のレンズ部材により変換された略平行光束を所定の形状に整形する絞り部材と、
前記絞り部材により整形された光束に副走査方向への変化を与えると共に、該光束を前記電気光学結晶に入射させる第２のレンズ部材とを備えることを特徴とする請求項１に記載の光走査装置。
【請求項８】
請求項３に記載の光走査装置を備えた画像形成装置であって、
前記光源の発光および消灯と、前記電圧制御手段により前記電気光学結晶に印加される電圧とを制御するための画像処理手段を備え、
前記画像処理手段は、主走査方向の光束の走査に従って、
前記光源の発光を開始後、主走査方向の書き込み基準を示すＢＤ信号を検知したことにより前記光源を消灯して、前記電圧制御部により前記電気光学結晶に所定電圧を印加させ、
前記光源を発光させて、前記光量制御手段による光量制御を開始させ、
前記光量制御が終了すると前記光源を消灯して、前記電圧制御部による前記電気光学結晶への所定電圧の印加を停止し、
前記光源を発光させて、前記光走査手段により光束で像担持体を走査させることを特徴とする画像形成装置。
【請求項９】
複数の発光点を有して複数の光束を出射する光源と、
前記光源から出射された複数の光束を走査する光走査手段と、
前記光源と前記光走査手段との間の光路中に設けられ、前記光源から出射された複数の光束を電圧印加により偏向する電気光学結晶構造体と、
前記電気光学結晶構造体により異なる方向に偏向された複数の光束の光量を検知する、各光束に対応する複数の光量検知手段と、
前記複数の光量検知手段の検知結果に基づいて、前記光源から出射される各光束が所定の光量となる様に制御する光量制御手段とを備え、
前記電気光学結晶構造体は、前記光源の各発光点に応じて異なる電圧印加により、前記複数の発光点から出射される複数の光束を夫々対応する光量検知手段に入射させ、
前記光量制御手段は、各光束の光量を対応する光量検知手段の検知結果に基づいて制御することを特徴とする光走査装置。
【請求項１０】
前記電気光学結晶構造体は、電圧印加により屈折率が変化する特性を有する電気光学結晶からなり、
前記電気光学結晶に印加される異なる電圧を制御する電圧制御手段を更に備えることを特徴とする請求項９に記載の光走査装置。
【請求項１１】
請求項１０に記載の光走査装置を備えた画像形成装置であって、
前記光源の発光および消灯と、前記電圧制御手段により前記電気光学結晶に印加される電圧とを制御するための画像処理手段を備え、
前記画像処理手段は、主走査方向の光束の走査に従って、
前記光源の第１の発光点からの発光を開始後、主走査方向の書き込み基準を示すＢＤ信号を検知したことにより前記光源の第１の発光点を消灯し、
各発光点について、
発光点からの光束を対応する前記光量検知手段が検知できる様に前記電圧制御手段により前記電気光学結晶に電圧を印加させて、該発光点から発光させ、前記光量制御手段による該発光点からの光束の光量制御を開始させ、該発光点からの光束の光量制御が終了すると該発光点を消灯することを、前記第１の発光点から順に最後の発光点まで繰り返し、前記最後の発光点を消灯した後、前記電圧制御部による前記電気光学結晶への電圧の印加を停止し、
前記光源の複数の発光点を発光させて、前記光走査手段により複数の光束で像担持体を走査させることを特徴とする画像形成装置。
【手続補正２】
【補正対象書類名】明細書
【補正対象項目名】００１４
【補正方法】変更
【補正の内容】
【００１４】
かかる課題を解決するために、本発明の光走査装置は、光束を出射する光源と、前記光源から出射された光束を偏向して、偏向した光束で像担持体を走査する光走査手段と、前記光源と前記光走査手段との間の光路中に設けられ、前記光源から出射された光束を電圧印加により偏向する電気光学結晶構造体と、前記電気光学結晶構造体により偏向された光束の光量を検知する、少なくとも１つの光量検知手段と、前記光量検知手段の検知結果に基づいて、前記光源から出射される光束が所定の光量となる様に制御する光量制御手段とを備えることを特徴とする。
【手続補正３】
【補正対象書類名】明細書
【補正対象項目名】００１６
【補正方法】変更
【補正の内容】
【００１６】
また、本発明の画像形成装置は、上記光走査装置を備えた画像形成装置であって、前記光源の発光および消灯と、前記電圧制御手段により前記電気光学結晶に印加される電圧とを制御するための画像処理手段を備え、前記画像処理手段は、主走査方向の光束の走査に従って、前記光源の発光を開始後、主走査方向の書き込み基準を示すＢＤ信号を検知したことにより前記光源を消灯して、前記電圧制御部により前記電気光学結晶に所定電圧を印加させ、前記光源を発光させて、前記光量制御手段による光量制御を開始させ、前記光量制御が終了すると前記光源を消灯して、前記電圧制御部による前記電気光学結晶への所定電圧の印加を停止し、前記光源を発光させて、前記光走査手段により光束で像担持体を走査させることを特徴とする。
【手続補正４】
【補正対象書類名】明細書
【補正対象項目名】００１７
【補正方法】変更
【補正の内容】
【００１７】
また、本発明の光走査装置は、複数の発光点を有して複数の光束を出射する光源と、前記光源から出射された複数の光束を走査する光走査手段と、前記光源と前記光走査手段との間の光路中に設けられ、前記光源から出射された複数の光束を電圧印加により偏向する電気光学結晶構造体と、前記電気光学結晶構造体により異なる方向に偏向された複数の光束の光量を検知する、各光束に対応する複数の光量検知手段と、前記複数の光量検知手段の検知結果に基づいて、前記光源から出射される各光束が所定の光量となる様に制御する光量制御手段とを備え、前記電気光学結晶構造体は、前記光源の各発光点に応じて異なる電圧印加により、前記複数の発光点から出射される複数の光束を夫々対応する光量検知手段に入射させ、前記光量制御手段は、各光束の光量を対応する光量検知手段の検知結果に基づいて制御することを特徴とする。ここで、前記電気光学結晶構造体は、電圧印加により屈折率が変化する特性を有する電気光学結晶からなり、前記電気光学結晶に印加される異なる電圧を制御する電圧制御手段を更に備える。
【手続補正５】
【補正対象書類名】明細書
【補正対象項目名】００１８
【補正方法】変更
【補正の内容】
【００１８】
また、本発明の画像形成装置は、光走査装置を備えた画像形成装置であって、前記光源の発光および消灯と、前記電圧制御手段により前記電気光学結晶に印加される電圧とを制御するための画像処理手段を備え、前記画像処理手段は、主走査方向の光束の走査に従って、前記光源の第１の発光点からの発光を開始後、主走査方向の書き込み基準を示すＢＤ信号を検知したことにより前記光源の第１の発光点を消灯し、各発光点について、発光点からの光束を対応する前記光量検知手段が検知できる様に前記電圧制御手段により前記電気光学結晶に電圧を印加させて、該発光点から発光させ、前記光量制御手段による該発光点からの光束の光量制御を開始させ、該発光点からの光束の光量制御が終了すると該発光点を消灯することを、前記第１の発光点から順に最後の発光点まで繰り返し、前記最後の発光点を消灯した後、前記電圧制御部による前記電気光学結晶への電圧の印加を停止し、前記光源の複数の発光点を発光させて、前記光走査手段により複数の光束で像担持体を走査させることを特徴とする。